(57)【要約】【課題】  スポーツや激しい動作などをしている場合においても、頭部を締め付ける負担を掛けずにしっかりと眼鏡を固定でき、さらに、容易に着脱することができる眼鏡固定具を提供することを目的とする。【解決手段】頭部に当接する帯状固定部材と、前記帯状固定部材に摺動し、両端部側に突設された突出部を有する帯状可動部材と、前記帯状固定部材の両端部に設けられた位置調整部材と、前記位置調整部材に設けられ、前記突出部と係合可能である案内片と第一係止部とを有する弾性部と、を具備し、前記帯状可動部を摺動し前記突出部と前記案内片とが係合することにより、前記第一係止部が、眼鏡のテンプル部又はモダン部に設けられた第二係止部との係止が解除可能であることを特徴とする眼鏡固定具により解決することができた。【選択図】図１
2014081460.tif 000002
【特許請求の範囲】
【請求項１】
頭部に当接する帯状固定部材と、
前記帯状固定部材に摺動し、両端部側に突設された突出部を有する帯状可動部材と、
前記帯状固定部材の両端部に設けられた位置調整部材と、
前記位置調整部材に設けられ、前記突出部と係合可能である案内片と第一係止部とを有する弾性部と、を具備し、
前記帯状可動部を摺動し前記突出部と前記案内片とが係合することにより、前記第一係止部が、眼鏡のテンプル部又はモダン部に設けられた第二係止部との係止が解除可能であることを特徴とする眼鏡固定具。
【請求項２】
前記第一係止部が突出片であり、前記第二係止部が孔であることを特徴とする請求項１に記載の眼鏡固定具。
【請求項３】
前記第一係止部が孔であり、前記第二係止部が突出片であることを特徴とする請求項１に記載の眼鏡固定具。
【請求項４】
前記帯状可動部材の両端部に摺動方向に長い長孔が設けられ、前記帯状固定部材の両端部に前記長孔に嵌設され前記長孔の長軸の径よりも小さい径である係止片が設けられていることを特徴とする請求項１から請求項３のいずれかに記載の眼鏡固定具。
【発明の詳細な説明】
【技術分野】
【０００１】
本発明は、眼鏡固定具に関する。さらに詳しくは、水泳やスキーなどで使用されるゴーグル、サングラス、保護眼鏡などの各種眼鏡に装着し、眼鏡がズレたり外れたりすることを防ぐために最適な眼鏡固定具に関する。
【背景技術】
【０００２】
従来、スポーツや激しい動作などにより、着用した眼鏡が着用位置からズレたり外れないようにするために眼鏡固定具が使用されている。
【０００３】
一般的なものとしては、眼鏡フレームの両テンプル部を繋げるように弾性を有するゴム製バンドなどの帯状物を取り付けた眼鏡固定具であり、眼鏡を装用した状態で該帯状物を後頭部に回し、該帯状物の弾性力により眼鏡を使用者の顔面に引きつけることで、眼鏡をしっかりと固定することができるものである。
【０００４】
しかしながら、上記した従来の眼鏡固定具は、帯状物の弾性力により眼鏡の位置が固定されるため、使用者の頭部には常に圧力がかかり、その結果、髪が乱れ、鼻から耳側部にかけて跡がついたり、また着用時の装用感が気になるという問題があった。
【０００５】
上記問題に対して、例えば、特許文献１にあるように、眼鏡をかけた状態で眼鏡のテンプル部に装着する構造の眼鏡の固定具であって、紐状部材と、該紐状部材を眼鏡のテンプル部に取り付けるための取り付け部材とからなり、且つ、該取り付け部材が、面ファスナーで形成されている眼鏡固定具が提案されている。
【先行技術文献】
【特許文献】
【０００６】
【特許文献１】特開２００７−３３３８２２号公報
【発明の概要】
【発明が解決しようとする課題】
【０００７】
しかしながら、上記の特許文献１に記載の眼鏡固定具を使用した場合でも、眼鏡のテンプル部と面ファスナーが強固に固定されているわけではないので、スポーツや激しい動作などをしている場合には、眼鏡の位置がズレるおそれがある。
【０００８】
特に、スポーツや激しい動作などをしている場合には、手で眼鏡の位置を調整することも困難であることも多く、頭部に負担を掛けずにしっかりと眼鏡を固定でき、さらに、容易に着脱することができるという相反する性能が求められていた。
【０００９】
そこで、本発明では、スポーツや激しい動作などをしている場合においても、頭部を締め付ける負担を掛けずにしっかりと眼鏡を固定でき、さらに、容易に着脱することができる眼鏡固定具を提供することを目的とする。
【課題を解決するための手段】
【００１０】
（１）すなわち、本発明に係る眼鏡固定具は、頭部に当接する帯状固定部材と、前記帯状固定部材に摺動し、両端部側に突設された突出部を有する帯状可動部材と、前記帯状固定部材の両端部に設けられた位置調整部材と、前記位置調整部材に設けられ、前記突出部と係合可能である案内片と第一係止部とを有する弾性部と、を具備し、前記帯状可動部を摺動し前記突出部と前記案内片とが係合することにより、前記第一係止部が、眼鏡のテンプル部又はモダン部に設けられた第二係止部との係止が解除可能であることを特徴とする眼鏡固定具である。
【００１１】
（２）そして、前記第一係止部が突出片であり、前記第二係止部が孔であることを特徴とする前記（１）に記載の眼鏡固定具である。
【００１２】
（３）そして、前記第一係止部が孔であり、前記第二係止部が突出片であることを特徴とする前記（１）に記載の眼鏡固定具である。
【００１３】
（４）そして、前記帯状可動部材の両端部に摺動方向に長い長孔が設けられ、前記帯状固定部材の両端部に前記長孔に嵌設され前記長孔の長軸の径よりも小さい径である係止片が設けられていることを特徴とする前記（１）から前記（３）のいずれかに記載の眼鏡固定具である。
【発明の効果】
【００１４】
以上、説明したように本発明によれば、前記位置調整部材の弾性部に設けられた前記第一係止部と眼鏡のテンプル部又はモダン部に設けられた前記第二係止部が係止して頭部に眼鏡を固定し、そして、前記帯状可動部を摺動し前記突出部と前記案内片とが係合することにより、前記第一係止部が前記第二係止部との係止を解除可能である機構を有することにより、スポーツや激しい動作などをしている場合においても、頭部を締め付ける負担を掛けずに、しっかりと眼鏡を固定でき、さらに、容易に着脱することができる。
【図面の簡単な説明】
【００１５】
【図１】本発明に係る一実施例の使用状態を示す斜視図である。
【図２】本発明に係る一実施例の分解斜視図である。
【図３】（ａ）本発明に係る一実施例の第１固定状態を示す平面図である。（ｂ）Ａ−Ａ線断面図である。（ｃ）Ｂ−Ｂ線断面図である。
【図４】（ａ）本発明に係る一実施例の解除状態を示す平面図である。（ｂ）Ａ−Ａ線断面図である。（ｃ）Ｂ−Ｂ線断面図である。
【図５】（ａ）本発明に係る一実施例の第２固定状態を示す平面図である。（ｂ）Ａ−Ａ線断面図である。（ｃ）Ｂ−Ｂ線断面図である。
【発明を実施するための形態】
【００１６】
以下、本発明に係る眼鏡固定具に関する実施形態について詳しく説明する。なお、以下に説明する実施形態は、本発明を実施するに好ましい具体例であるから、技術的に種々の限定がなされているが、本発明は、以下の説明において特に発明を限定する旨明記されていない限り、これらの形態に限定されるものではない。
【００１７】
図１に示すように、本発明に係る眼鏡固定具Ｉは、その両端側を眼鏡ＩＩのテンプル部４の両端側に固定し、閉経路形状にして使用し、頭部を固定する。本実施例では、眼鏡固定具Ｉを眼鏡ＩＩのテンプル部４に固定しているが、眼鏡のテンプルに付設された耳掛け部であるモダン部を加工して眼鏡固定具Ｉを固定しても良い。眼鏡ＩＩは、種々の用途の眼鏡を使用することができるが、水泳やスキーなどで使用されるゴーグル、サングラス、保護眼鏡であることが好ましい。
【００１８】
図２に示すように、本発明に係る眼鏡固定具Ｉは、少なくとも帯状固定部材１と、帯状可動部材２と、位置調整部材３とを具備する。これらの材質としては、頭部に着装したときの使用感や重量感などから、ポリエチレン（ＰＥ）、プロプロピレン（ＰＰ）、ポリエチレンテレフタレート（ＰＥＴ）などのプラスチック、ポリアセタール（ＰＯＭ）、ポリアミド（ＰＡ）、ナイロン６（Ｎ６）、ナイロン６６（Ｎ６６）、ポリカーボネート（ＰＣ）、ポリアレート（ＰＡＲ）、ポリサルフォン（ＰＳＦ）、変性ポリフェニレンエーテル（ＰＰＥ）、ポリエーテルイミド（ＰＥＩ）、ポリエーテルサルフォン（ＰＥＳ）、ポリブチレンテレフタレート（ＰＢＴ）、ポリエーテルエーテルケトン（ＰＥＥＫ）、ポリフェニレンサルファイド（ＰＰＳ）などのエンジニアリングプラスチック等高分子材料が好ましい。
【００１９】
帯状固定部材１は、頭部に当接する部材であり、頭部の側周の半分程度を覆うことができる長さで帯状に形成されている。その両端側には、係止片１１が外側、すなわち、頭部とは反対側に突出して設けられており、係止片１１は後述する帯状可動部材２の長孔２２における長軸の径よりも小さい径であるため、長孔２２内を移動することができ、帯状固定部材１に対する帯状可動部材２の摺動範囲を規制する。
【００２０】
帯状可動部材２は、帯状固定部材１の外側、すなわち、頭部とは反対側に当接して、帯状固定部材１と摺動可能に頭部の側周の半分程度を覆うことができる長さで帯状に形成されている。その両端側には、帯状可動部材２の摺動方向に長い長孔２２が設けられ、その長軸の径よりも小さい径である係止片１１を嵌設して、帯状固定部材１に対する帯状可動部材２の摺動範囲を規制する。
【００２１】
また、長孔２２よりもさらに帯状可動部材２の両端側に、並行して２つの突出部２１が外側に略三角形状で突設されている。この突出部２１は、後述する位置調整部材３の弾性部３１に設けられた２つの案内片３１１と係合して弾性部３１を押し上げることができる。このため、弾性部３１に設けられた突出片である第一係止部３１２と眼鏡ＩＩのテンプル部４に設けられた孔である第二係止部４１との係止を解除して、テンプル部４を移動させ、眼鏡固定具Ｉと眼鏡ＩＩで形成される閉経路の径を変えることができる。
【００２２】
位置調整部材３は、帯状固定部材１、帯状可動部材２、テンプル部４の各端部を収容し、帯状固定部材１の両端に接着剤等により固定され、略直方体状に形成されている。位置調整部材３の外面には、コの字状に穿孔されることにより生じた略長方形状の弾性部３１が設けられている。弾性部３１の内側、すなわち、頭部の側には、突出部２１と係合することができる略三角形状の案内片３１１が並行して２つ突設されている。さらに、この案内片３１１は同じく弾性部３１の内側に略円柱状の突出片である第一係止部３１２が突設されている。本実施例において、弾性部３１に設けられた第一係止部３１２を突出片とし、後述するテンプル部４に設けられた第二係止部４１を孔としているが、反対に第一係止部３１２を孔とし、第二係止部４１を突出片として設けても良い。なお、図２において位置調整部材３は、分離可能な２部材として図示されているが、少なくとも使用中においては互いに溝と突起などの係止手段、又は接着剤、雄雌釦、面ファスナーなどの固定手段により分離不能であることが好ましい。
【００２３】
テンプル部４は、眼鏡ＩＩにおける「つる」の部分であり、棒状に形成されている。その左右のテンプル部４の両端には、３つの孔である第二係止部４１が穿設されている。孔の数は３つに限定されるものでなく、それ以上設けられていても良い。前述したように、この第二係止部４１は、弾性部３１に設けられた第一係止部３１２と係止して、眼鏡固定具Ｉと眼鏡ＩＩを固定し、一方、第一係止部３１２との係止を解除してテンプル部４を移動させ、眼鏡固定具Ｉと眼鏡ＩＩで形成される閉経路の径を変えることができる。
【００２４】
次に、本発明に係る眼鏡固定具Ｉの使用方法を説明する。
【００２５】
図３に示すように、位置調整部材３の内部において、弾性部３１の内部に設けられた２つの案内片３１１は、帯状可動部材２の外側に設けられた突出部２１と係合していないため、弾性部３１の内側に設けられた突出片である第一係止部３１２は、テンプル部４の孔である第二係止部４１に入り係止している。また、位置調整部材３に帯状固定部材１が固定されており、その上に摺動可能に帯状可動部材２が設けられ、さらのその上に摺動可能にテンプル部４が設けられている。
【００２６】
次に、図３の状態から眼鏡固定具Ｉと眼鏡ＩＩで形成される閉経路の径を小さくするときには、図４に示すように、帯状可動部材２を左方向に押す。そうすると、帯状可動部材２に設けられた突出部２１が弾性部３１の内側に設けられた案内片３１１を上方に押し上げることにより、第一係止部３１２と第二係止部４１との係止が解除され、テンプル部４を左右に移動させることができ、調整することが可能となる。
【００２７】
そして、図５に示すように、図４における第一係止部３１２と第二係止部４１との係止が解除した状態を経て、テンプル部４を右に移動させて、弾性部３１の内側に設けられた突出片である第一係止部３１２を、テンプル部４の他の孔である第二係止部４１に入り係止させることにより、図３の状態から眼鏡固定具Ｉと眼鏡ＩＩで形成される閉経路の径を大きくすることができる。
【００２８】
このように、眼鏡固定具Ｉと眼鏡ＩＩとが固定される位置関係が予め定められていることにより、スポーツや激しい動作などをしている場合においても、頭部を締め付ける負担を掛けずに、しっかりと眼鏡を固定でき、さらに、容易に着脱することができる。
【符号の説明】
【００２９】
Ｉ・・・眼鏡固定具
ＩＩ・・眼鏡
１・・・帯状固定部材
１１・・係止片
２・・・帯状可動部材
２１・・突出部
２２・・長孔
３・・・位置調整部材
３１・・弾性部
３１１・案内片
３１２・第一係止部（突出片）
４・・・テンプル部
４１・・第二係止部（孔）
【図１】
2014081460.tif 000003
【図２】
2014081460.tif 000004
【図３】
2014081460.tif 000005
【図４】
2014081460.tif 000006
【図５】
2014081460.tif 000007